(57)【要約】【課題】複数枚の布地を重ね合わせて作られたマスク本体の、両側端に耳掛紐を取付けたものに於いて、顔面へのマスク本体の密着性を極力向上させると共に、別途用意されて、マスクの内側面に添わせる覆いガーゼ片や、空気浄化用フィルターの装着性等の、使い勝手を格段に向上させたマスクを提供する。【解決手段】マスク本体の下端縁側を縫い綴じることにより、マスクの使い勝手を向上させるに役立つポケットを形成させる。        複数枚の布地のうち、最内側に位置してポケットを形成させている最内側布地は、その上端縁を、マスク本体の上端縁と重なり合わない様に、幾分ズリ下げて位置させる。  ポケットには、フィルターを納める。覆いガーゼ片は、その上端部分を折り曲げて、ポケットの上端縁に掛止させる。  更に、マスク本体の横幅寸法を、左右両頬の部分に迄覆い被せ得る長さにすることによって、マスク本体の両側端部分と、顔面との密着性を大幅に向上させる。【選択図】  図２    
0003103183.tif 000002
【実用新案登録請求の範囲】
【請求項１】
複数枚の布地の積層体から成る方形のマスク本体の、両側端に耳掛紐を取付けたものに於いて、
マスク本体の下端縁側を縫い綴じることにより、マスクの使い勝手を向上させるに役立つポケットを形成させたことを特徴とするマスク。      
【請求項２】
マスク本体を構成する複数枚の布地のうち、最内側に位置してポケットを形成させている最内側布地は、その上端縁を、マスク本体の上端縁と重なり合わない様に、幾分ズリ下げて位置させたことを特徴とする請求項１記載のマスク。
【請求項３】
ポケットに、別途用意した、空気浄化用のフィルターを納める様にしたことを特徴とする請求項１記載のマスク。
【請求項４】
別途用意されて、マスクの装着時にその内側面に覆い被せた状態で用いる、覆いガーゼ片は、その上端部分を折り曲げて、ポケットの上縁部に掛止させられる様にしたことを特徴とする請求項１記載のマスク。
【請求項５】
マスク本体の横幅寸法を、左右両頬の部分に迄覆い被せ得る長さにすることによって、マスク本体の両側端部分と、顔面との密着性を大幅に向上させたことを特徴とする請求項１乃至４のいずれかに記載のマスク。    
【請求項６】
大人用のマスク本体の大きさを、横幅＝１７±２センチメートル、縦幅＝１１±１センチメートルとしたことを特徴とする請求項５記載のマスク。
【請求項７】
マスクの着用状態で、マスク本体の上端縁を、顔面から膨出している鼻の表面に密着させる為に、塑性変形性を有する合成樹脂を主材として作られた帯板状の形状保持部材を、前記上端縁に取付けたことを特徴とする請求項１乃至６のいずれかに記載のマスク。
【考案の詳細な説明】
【技術分野】
【０００１】
本考案は、その着用状態で、口及び鼻孔を覆う布地製のマスク本体の周縁部と顔面との間に、極力隙間が生じない様に改良すると共に、別途用意された空気浄化用のフィルターや、マスクの着用時に、その内側面に覆い被せた状態で用いる覆いガーゼ片の、装着性等の使い勝手を改善したマスクに関する。
【背景技術】
【０００２】
図６及び図７は、既存の一般的な構造の衛生マスクＢ１を、その内側から見た斜視図及び着用状態を示す側面図である。
この衛生マスクＢ１は、ガーゼや不織布等の布地の複数枚を重ね合わせて、口及鼻孔を覆うに足る大きさに作られたマスク本体５１と、その左右の側端に設けた紐通し部５３に夫々挿通させた、ゴム輪状の耳掛紐５２とで構成されている。
【０００３】
マスク本体５１の製法としては、長尺帯状のガーゼを、端から順次、矩形状に複数回折り重ねたうえ、左右の側端縁に沿ってミシン掛けを施すことにより、布地の積層状態を固定させると同時に、紐通し部５３を形成させる方法が採られている。
更に、マスク本体５１の上縁側の真中部分を襞状に摘んで、摘み個所５４を設けることによって、顔面の立体形状に添わせ易くしている。
【０００４】
そして、マスク本体５１の横幅寸法は、図７に示したマスクの着用状態で、左右の側端縁５１ａの夫々が、口元（口の両端）と耳との間の、ほぼ中間個所に達する程度に留めている。
【０００５】
これは、マスク本体５１の材料費と、顔面へのマスク本体５１の密着性との兼ね合いに於いて、この程度の幅寸法に留めるのが妥当だと判断した為と思われる。
或いは、顔面への密着性の確保に就いて、さほど厳密に考えていなかった為とも思われる。  
【０００６】
衛生マスクＢ１の使い方としては、マスク本体５１の内側面が特に汚れ易いので、マスクを掛ける時に、この内側面に、別体として用意された覆いガーゼ片を当てがう方法も（図２中の符号Ｄ参照）、一般に行われている。
又、複数枚の布地を重ね合わせて作られたマスク本体５１の、布地相互間の隙間に、市販の、シート状の空気浄化用フィルターを挿し込むことも行われて来た。
【０００７】
次に、図８に、在来の別のタイプの衛生マスクＢ２を、着用状態の側面図として示した。
この衛生マスクＢ２は、マスク本体６１の左右の側端部分を三角片状に形成して、その尖った突端に、輪ゴム状の耳掛紐６２を連結させている。
このタイプの衛生マスクＢ２は、有害な粉塵が発生する各種の事業所等で多く使われており、着用すると、図示の様にマスク本体６１の左右の突端が耳の近傍に迄達する。
【０００８】
【特許文献１】特開２００３−７４２：衛生マスクの製法（出願人：株式会社  白鳩）
【考案の開示】
【考案が解決しようとする課題】
【０００９】
昨今の様に、吸入感染性でより悪質な新種のウイルスが次々に発見されたり、季節が巡る毎に多くの人々が花粉症に苦しめられている現状を考えれば、或いは、各種の生産施設や廃棄物処理施設等で、有害な粉塵に曝さらされている人々の健康管理を考えれば、これ等の問題の最も手軽で有力な解決手段となる衛生マスクに就いて、粉塵やウイルス等の吸入阻止機能をより高めて行く必要がある。
【００１０】
その点で、前記の既存の衛生マスクＢ１は、マスク本体５１の左右の側端を、顔面に良好に密着させ難いきらいがあった。
その理由を考察するに、マスク本体５１の横幅寸法からして、その両側端５１ａ，５１ａが両頬の部分に当てがわれた状態になる。
ところが、この頬の部分がコケて（窪んで）いる人も少なくなし、頬のあたりの顔面は三次元的に不規則な凹凸面を成している。
これ等の事情が、上記の密着性を損なう要因として考えられる。
【００１１】
又、別途用意された取替ガーゼ片を、マスク本体５１の内側面の真ん中部分に単に当てがった状態で、そのまま衛生マスクＢ１を着用した場合、使用中に、取替ガーゼ片が所定の位置からズレ動いたり、ズレ落ちてしまう恐れが多分にあった。
更には、別途用意した、シート状の空気浄化用フィルターを、マスク本体５１を構成する複数枚の布地同士の重合隙間に挟み込ませた場合にも、この隙間は上下方向に貫通状態なので、マスクの使用中に、隙間からズリ落ちてしまう
恐れが多分にあった。
【００１２】
一方、上記の従来の衛生マスクＢ２に就いては、図６に示した衛生マスクＢ１と対比すれば容易に理解出来る様に、耳掛紐６２の取付作業の手間をかなり省ける等の点で、少なからぬメリットがある。  
【００１３】
然し、その反面、マスク本体を位置決めし、顔に圧接させるという、耳掛紐に
求められる肝心の機能に関しては、耳掛紐６２を、マスク本体６１の尖った側端に１点支持状態で連結させた衛生マスクＢ２は、図６に示した様に、耳掛紐５２を、マスク本体５１の側端縁５１ａの上下両端で２点支持させた衛生マスクＢ１に比べて劣る、という難点があった。
【００１４】
そこで、本考案の目的は、複数枚の布地を重ね合わせて作られた矩形状のマスク本体の両側端に、耳掛紐を取付けたものに於いて、顔面へのマスク本体の密着性を極力向上させると共に、別途用意された、覆いガーゼ片や空気浄化用フィルターの装着性等の、使い勝手を格段に向上させたマスクを提供するにある。
【課題を解決するための手段】
【００１５】
上記の目的を達成する為の、本考案によるマスクは、
複数枚の布地の積層体から成る方形のマスク本体の、両側端に耳掛紐を取付けたものに於いて、
マスク本体の下端縁側を縫い綴じることにより、マスクの使い勝手を向上させるに役立つポケットを形成させたことを特徴とする。      
そして、マスク本体を構成する複数枚の布地のうち、最内側に位置してポケットを形成させている最内側布地は、その上端縁を、マスク本体の上端縁と重なり合わない様に、幾分ズリ下げて位置させたことも特徴とする。
このポケットには、別途用意した、空気浄化用のフィルターを納める様にしたことも特徴とする。
又、別途用意されて、マスクの装着時にその内側面に覆い被せた状態で用いる、覆いガーゼ片は、その上端部分を折り曲げて、ポケットの上縁部に掛止させられる様にしたことも特徴とする。
更に、マスク本体の横幅寸法を、左右両頬の部分に迄覆い被せ得る長さにすることによって、マスク本体の両側端部分と、顔面との密着性を大幅に向上させたことも特徴とする。    
具体的には、大人用のマスク本体の大きさを、横幅＝１７±２センチメートル、縦幅＝１１±１センチメートルに設定するとよい。
或いは、マスクの着用状態で、マスク本体の上端縁を、顔面から膨出している鼻の表面に密着させる為に、塑性変形性を有する合成樹脂を主材として作られた帯板状の形状保持部材を、前記上端縁に取付けたことも特徴とする。
【考案の効果】
【００１６】
上記の構成を備えた本考案によるマスクは、既存の同種品に比べて、以下に列挙した如き実用上のより優れた機能を発揮する。
（ａ）  複数枚の布地の積層体から成るマスク本体の、下端縁側を縫い綴じることにより形成させたポケットが、下記の如くマスクの使い勝手の向上に大いに役立つ。
（ｂ）  複数枚の布地を重ね合わせたマスク本体の、最内側の布地の上端縁を、マスク本体の上端縁と重なり合わない様に、幾分ズリ下げて位置させたことによって、ポケットの上端縁を認視し易くなり、且つ、ポケットを開け易くなる。
（ｃ）  別途用意された、空気浄化用のフィルターを、ポケットに納めれば、従来の様に、使用中のマスクからズレ落ちてしまう恐れが無くなる。
（ｄ）  マスクを着用する際に、マスク本体の内側面に覆い被せた状態で用いる覆いガーゼ片は、その上端部分を折り曲げて、ポケットの上縁部に掛止させることによって、従来の様に、使用中のマスクからズレ落ちてしまう恐れを確実に無くせる。
（ｅ）  又、覆いガーゼ片を被せる際の位置決めを、容易・確実に行えるので、覆いガーゼ片の一部が、マスクの周縁部からはみ出で見苦しくなることも無い。
（ｆ）  マスク本体の横幅寸法を、左右両頬の部分迄も覆い被せ得る長さに設定したことによって、マスク本体の両側端部分をより確実に顔面に密着させられる。
（ｇ）  マスク本体の上端縁部に、塑性変形性を有する合成樹脂を主材として作られた帯板状の形状保持部材を取付けたことによって、顔面から膨出した鼻の部分にもマスク本体を密着させられる。
（ｈ）マスク本体の横幅を増すことによって、冬期に顔面を防寒するという、マスクの別の機能も目立って高められ。
【考案を実施するための最良の形態】
【００１７】
以下に、本考案の一実施例に就いて、図１〜図５を参照しながら説明する。  図１は、この実施例のマスクＡを、その内側から見た平面図、図２は、その内側面に覆いガーゼＤを覆い被せた状態の、マスクＡの斜視図、図３は、図１のＸ−Ｘ線に沿う縦断面図、図４は、図２のＹ−Ｙ線に沿う部分縦断面図、そして、図５は、マスクＡの着用状態を示した側面図である。
【００１８】
マスクＡは、図示の様に、ガーゼや不織布等の通気性布地の複数枚を重ね合わせて、口、鼻孔、及び左右両頬の部分に覆い被せるに足る大きさに作られたマスク本体１と、その両側端に貫通状に設けた紐通し部３に挿通させた、ゴム輪状の耳掛紐２とを備えている。
【００１９】
マスク本体１の作り方の具体例を挙げると、その素材となる長尺帯状の布地を、そのまま、又は、マスク本体の縦幅の複数倍の横幅を有する長尺帯状の布地を、その幅方向に複数層に折り重ねた状態で、一端側から他端側に向けて、所定の横幅寸法となる様に、そして、所定の積層枚数になる迄、順次巻き重ねる。
【００２０】
その際に、図２に示した様に、巻き重ねの最終端面となる、最内側布地１Ａは、その上端縁ａが、マスク本体１の上端縁ｂと重なり合わない様に、幾分ズリ下げて位置させる。
具体的には、図示の様に、最内側布地１Ａの上端部分を、その先端側に向けて下降傾斜状に内向きに２つ折りする、等の方法を採ればよい。
或いは、最内側布地１Ａの上端部分を、その全幅にわたって、所定幅だけ内向きに折り曲げる等しても勿論よい。
【００２１】
然かる後、方形に形成されたこの積層体の両側端近くに、その全高にわたって縫い綴じ個所Ｖを設けることによって、マスク本体１の積層形態を固定させると同時に、紐通し部３を形成させる。
更に、マスク本体１の下端縁に沿っても、縫い綴じ個所Ｗを設けることによって、複数枚の布地を重ね合わせて作られたマスク本体１の、隣り合う布地の間に、図３に例示した様に、ポケット４を形成させる。
尚、ポケット４は、重ね合わされている複数枚の布地の、各重合隙間にも、当然形成される。
【００２２】
マスク本体１の大きさは、図５に示した様に、その横幅寸法を、顔面の左右両頬の部分迄も覆い被せられる長さに設定している。
これによって、窪みの有る、或いは、不規則な凸面形状を成す頬面に、既述の様に、マスク本体１の両側端縁が当てがわれた状態になってしまうことによる、この部分での、顔面へのマスク本体１の密着不良を略解消させることが出来る。
【００２３】
ちなみに、従来の布地製の衛生マスクの大きさは、大人用のもので、１３．５（横幅）×９．５（縦幅）センチメートルに設定しているのが一般である。
それに対して、本考案による大人用のマスク本体１の大きさは、横幅＝１７±２センチメートル、縦幅＝１１±１センチメートルに設定している。
【００２４】
次に、マスク本体１の上端部には、塑性変形性を有する合成樹脂を主材として作られた帯板状の形状保持部材５を、そのほぼ全長にわたって取付けている。
この形状保持部材５は、マスクＡを着用した状態で、顔面から膨出している鼻の表面に押し付けるだけで、鼻の凹凸面に倣った形状に屈曲されるので、鼻周り部分へのマスク本体１の密着性を顕著に向上させることが出来る。
【００２５】
塑性変形性とは、物体を任意の形状に屈曲させた後に、屈曲力を解除しても、この強制変形の状態を維持し続ける性質のことである。
この実施例では、形状保持部材５として、塑性変形性を有する合成樹脂に、補強用の繊維質材を包埋させたものを用いている。
【００２６】
次に、マスクＡが備える機能に就いて、以下に改めて説明する。
言う迄もなく、マスクＡに求められる機能は、身体に有害な粉塵乃至はウイルス等の微粒物体が、呼気と共に体内に吸い込まれるのを、自由な呼吸を妨げない状態で最大限に防ぐことである。
【００２７】
その為の、第１の対策は、マスク本体１の材質と構造の吟味であり、第２の対策は、顔面へのマスク本体の密着性を、なるべく装着感が悪くならない様に配慮しながら、極力高めることである。    
そして、本考案では、更に第３の対策として、冒頭に記した様に、従来からマスクと併用されて来た、市販の空気浄化用のフィルターＣや、マスクの装着時にその内側面に覆い被せた状態で用いる、取替自在の覆いガーゼ片Ｄの使い勝手を、格段に向上させる方策を講じている。
【００２８】
そこで先ず、上記第３の対策に就いて説明すると、その第一点として、マスク本体１にポケット４を形成させている。
更に、その第二点として、図２に示した様に、マスク本体１を構成する複数枚の積層布地のうちの最内側に位置して、ポケット４を形成させている最内側布地１Ａの上端縁ａを、マスク本体１の上端縁ｂと重なり合わない様に、幾分ズリ下げて位置させている。
【００２９】
その為、ポケット４の上端縁ａを、指先でまさぐりながら探す手間が省け、且つ、ポケット４の口を開く操作を手早く行える様になる。
そして、勿論有底のポケット４の中に、図１、図３に示した様に、フィルターＣを納めれば、従来の様に、複数枚の布地を重ね合わせてその両側端個所を縫い綴じしただけのマスク本体の、布地同士の重合間隙に、フィルターＣを単に挟み込ませた場合とは異なって、マスクの使用中にフィルターＣがズリ落ちてしまう恐れが完全に無くなる。
【００３０】
又、別途用意されて、マスクＡの着用時にその内側面に覆い被せて用いる、覆いガーゼ片Ｄは、単に、マスク本体１の内側面に添わせるだけでなくて、図２、図４に示した様に、その上端部分を折り曲げて、ポケット４の上縁部ａに掛止させるとよい。
【００３１】
この様にすれば、マスクＡの使用中に覆いガーゼ片Ｄがズリ落ちて仕舞う恐れも確実に無くせる。
然も、前記の様に、ポケット２の上端縁ａは、至極認視し易い状態にあり、且つ、ポケット４の口を開け易い状態にあるので、上記の掛止操作も、容易・迅速に行える。
【００３２】
又、上記の掛止状態にすることによって、覆いガーゼ片Ｄの位置決めも、図２を参照すれば容易に理解される様に、簡単・確実に行える。  
その為、従来の様に、覆いガーゼ片Ｃをマスク本体の内側面に単に当てがうだけの場合に起こり勝ちな、覆いガーゼ片Ｄの一部が、マスク本体の周縁部からはみ出して見苦しい状態になる不具合も、解消させられる。
【００３３】
そして、マスク本体１の横幅寸法を、従来のマスクに比べて長くしたこによる効果、及び、マスク本体１の上端縁部に形状保持部材５を取付けたことによる効果に就いては、既述の如くである。
【図面の簡単な説明】
【００３４】
【図１】本考案の一実施例を示すもので、マスクをその内側から見た平面図である。
【図２】同上、マスク本体の内側面に、覆いガーゼ片を添着させた状態を示す斜視図である。
【図３】同上、図１のＸ−Ｘ線に添う縦断面図である。
【図４】同上、図２のＹ−Ｙ線に添う部分縦断面図である。
【図５】同上、マスクの着用状態を示す側面図である。
【図６】従来例としてのマスクを示すもので、図１相当図である。
【図７】同上、図５相当図である。
【図８】別の従来例としてマスクを示すもので、図７相当図である。
【符号の説明】
【００３５】
Ａ  本考案によるマスク
Ｃ  空気浄化用のフィルター
Ｄ  覆いガーゼ片 
１  マスク本体
１Ａ  最内側布地
２  耳掛紐
３  紐通し部
４  ポケット  
Ｖ，Ｗ  縫い綴じ個所
５  形状保持部材
Ｂ１，Ｂ２  既存の衛生マスク
５１，６１  マスク本体
５１ａ  側端縁
５２，６２  耳掛紐
５３  紐通し部
５４  摘み個所
【図１】
0003103183.tif 000003
【図２】
0003103183.tif 000004
【図３】
0003103183.tif 000005
【図４】
0003103183.tif 000006
【図５】
0003103183.tif 000007
【図６】
0003103183.tif 000008
【図７】
0003103183.tif 000009
【図８】
0003103183.tif 000010